(57)【特許請求の範囲】
【請求項１】
長尺紙を長手方向に沿って搬送する搬送路と、
前記長尺紙を加熱する定着器に対し前記長尺紙の搬送方向の下流側に配され、駆動力を有さず、前記搬送路を搬送される前記長尺紙に当接して回転するアイドルローラと、
前記搬送路を挟んで前記アイドルローラに対向して配され、駆動力を有さず、前記搬送路を搬送される前記長尺紙に当接して回転する検出ローラと、
前記検出ローラの回転を検出する回転検出センサ部と、
前記アイドルローラ及び前記検出ローラに対し前記搬送方向の上流側の近傍に配され、駆動力を有する排出ローラと前記搬送路を挟んで前記排出ローラに対向して配され駆動力を有さず前記搬送路を搬送される前記長尺紙に当接して回転するピンチローラとを有する駆動ローラ部と
を有し
前記検出ローラの外周面と前記ピンチローラの外周面とはオーバーラップしている
画像形成装置。
【請求項２】
前記定着器と前記アイドルローラ及び前記検出ローラとの間に設けられ、前記長尺紙の先端の到達と搬送中状態とを検出する上流センサ部
をさらに有する請求項１に記載の画像形成装置。
【請求項３】
前記回転検出センサ部における前記検出ローラの回転の検出結果と、前記上流センサ部における前記長尺紙の検出結果とに基づき前記長尺紙の搬送を制御する制御部
をさらに有する請求項２に記載の画像形成装置。
【請求項４】
前記制御部は、所定時間内に前記上流センサ部において前記長尺紙の先端が検出されなかった場合、前記長尺紙の搬送を停止させる
請求項３に記載の画像形成装置。
【請求項５】
前記制御部は、前記上流センサ部において前記長尺紙の先端を検出した後、所定時間内に前記回転検出センサ部において前記検出ローラの回転が検出されなかった場合、前記長尺紙の搬送を停止させる
請求項４に記載の画像形成装置。
【請求項６】
前記制御部は、前記回転検出センサ部において前記検出ローラの回転を検出した後、前記検出ローラの回転速度が所定値以下に低下したことを検出した場合、前記長尺紙の搬送を停止させる
請求項５に記載の画像形成装置。
【請求項７】
前記上流センサ部は、前記長尺紙に当接されると支点を軸に回動するレバーと、該レバーの回動状態を検出するレバー検出センサとにより構成される
請求項２に記載の画像形成装置。
【請求項８】
前記検出ローラは、回転軸方向に隣り合う前記ピンチローラの間の中央部分に配置されており、
前記アイドルローラは、前記回転軸方向に隣り合う前記排出ローラの間の中央部分に配置されている
請求項１に記載の画像形成装置。
【発明の詳細な説明】
【技術分野】
【０００１】
本発明は画像形成装置に関し、電子写真方式を用いるプリンタや複写機等の画像形成装置に適用して好適なものである。
【背景技術】
【０００２】
従来、電子写真方式を用いた画像形成装置では、印刷画像に対応したトナーを媒体に転写し、定着器において熱と圧力により該トナーを媒体に定着させている。このような画像形成装置では、定着器よりも搬送方向の下流側に、駆動力を有し常に回転する駆動ローラと、駆動力を有さず該駆動ローラに連れ回される検出ローラとを設け、該検出ローラの回転を検出することにより、長尺紙の紙詰まり（ジャム）の発生を検出するものがある（例えば、特許文献１参照）。
【０００３】
このような画像形成装置においては、駆動ローラと検出ローラとで長尺紙を挟持しているか否かに関係なく、自ら回転する駆動ローラに連れて常に検出ローラが従動回転していた。このため従来の画像形成装置は、駆動ローラと検出ローラとで長尺紙を挟持している状態においては、ジャムが発生すると該検出ローラの回転が停止するため、ジャムの発生を検出できた。
【先行技術文献】
【特許文献】
【０００４】
【特許文献１】特開平６−１６７９０７号公報
【発明の概要】
【発明が解決しようとする課題】
【０００５】
しかしながらこのような画像形成装置では、駆動ローラと検出ローラとで長尺紙を挟持していない状態においても該検出ローラが回転するため、定着器から排出された長尺紙の先端部が該定着器に巻き付いてしまい、該先端部が駆動ローラ及び検出ローラに到達しなくても、該検出ローラは回転し続けることとなる。このため従来の画像形成装置は、長尺紙の先端部が定着器から排出された後であり駆動ローラ及び検出ローラに到達する前に発生したジャムを検出できなかった。
【０００６】
本発明は以上の点を考慮してなされたもので、信頼性を向上し得る画像形成装置を提案しようとするものである。
【課題を解決するための手段】
【０００７】
かかる課題を解決するため本発明の画像形成装置においては、長尺紙を長手方向に沿って搬送する搬送路と、長尺紙を加熱する定着器に対し長尺紙の搬送方向の下流側に配され、駆動力を有さず、搬送路を搬送される長尺紙に当接して回転するアイドルローラと、搬送路を挟んでアイドルローラに対向して配され、駆動力を有さず、搬送路を搬送される長尺紙に当接して回転する検出ローラと、検出ローラの回転を検出する回転検出センサ部と、アイドルローラ及び検出ローラに対し搬送方向の上流側の近傍に配され、駆動力を有する排出ローラと搬送路を挟んで排出ローラに対向して配され駆動力を有さず搬送路を搬送される長尺紙に当接して回転するピンチローラとを有する駆動ローラ部とを設け、検出ローラの外周面とピンチローラの外周面とはオーバーラップしているようにした。
【０００８】
これにより本発明は、搬送される長尺紙が検出ローラ及びアイドルローラに当接した場合にのみ、該検出ローラ及び該アイドルローラを回転させることができるため、定着器から排出された長尺紙の先端部が検出ローラ及びアイドルローラに到達する前に該長尺紙にジャムが発生したことを検出できる。
【発明の効果】
【０００９】
本発明によれば、搬送される長尺紙が検出ローラ及びアイドルローラに当接した場合にのみ、該検出ローラ及び該アイドルローラを回転させることができるため、定着器から排出された長尺紙の先端部が検出ローラ及びアイドルローラに到達する前に該長尺紙にジャムが発生したことを検出でき、かくして信頼性を向上し得る画像形成装置を実現できる。
【図面の簡単な説明】
【００１０】
【図１】画像形成装置の構成を示す左側面図である。
【図２】排出センサ部の構成（１）を示す左側面図である。
【図３】排出センサ部の構成（２）を示す平面図である。
【図４】先端巻付ジャムを示す左側面図である。
【図５】搬送中巻付ジャムを示す左側面図である。
【図６】搬送中蛇腹ジャムを示す左側面図である。
【発明を実施するための形態】
【００１１】
以下、発明を実施するための形態（以下実施の形態とする）について、図面を用いて説明する。
【００１２】
［１．実施の形態］
［１−１．画像形成装置の構成］
図１に示すように画像形成装置１は、フィーダ１０、カッタユニット１２及び画像形成ユニット１４を有しており、制御部１６が設けられている。制御部１６は、ＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、画像形成装置１を統括制御する。
【００１３】
フィーダ１０は、カッタユニット１２の前方に設けられ、長尺の用紙である長尺紙Ｐをロール状に巻き付けて保持すると共に該長尺紙Ｐをカッタユニット１２へ搬送する。カッタユニット１２は、画像形成ユニット１４の前方に設けられ、給紙ローラ２０、搬送ローラ２２及びオートカッタ２４を有している。給紙ローラ２０及び搬送ローラ２２は、長尺紙Ｐが搬送される搬送路２６に設けられており、長尺紙Ｐに接触して回転することにより、該長尺紙Ｐを画像形成ユニット１４へ向けて搬送する。オートカッタ２４は、制御部１６の制御に基づき、長尺紙Ｐの所定箇所を、該長尺紙Ｐの搬送方向に直交する左右方向である搬送幅方向に沿って切断する。搬送路２６は、該搬送路２６内における右端を搬送幅方向の搬送位置基準として、長尺紙Ｐを長手方向に沿って搬送する。
【００１４】
画像形成ユニット１４は、画像形成部２８、中間転写部３０、搬送ローラ３２、定着器３４、排出ローラ３６、ピンチローラ３７、排出ローラ３８、ピンチローラ３９及び排出センサ部４０を有している。
【００１５】
搬送ローラ３２は、搬送路２６に設けられており、長尺紙Ｐに接触して回転することにより、該長尺紙Ｐを搬送する。画像形成部２８は、制御部１６の制御に基づき、中間転写部３０における中間転写ベルト４２にトナー像を１次転写する。中間転写部３０は、中間転写ベルト４２、２次転写対向ローラ４４及び２次転写ローラ４６等を有しており、中間転写ベルト４２に転写されたトナー像を２次転写対向ローラ４４及び２次転写ローラ４６で長尺紙Ｐに２次転写することにより、該長尺紙Ｐに画像を形成する。
【００１６】
定着器３４は、図２に示すように、ヒータ４８が内側に設けられた加熱ベルト４９と、長尺紙Ｐを該加熱ベルト４９に押圧する定着ベルト５０とにより構成されている。定着器３４は、加熱ベルト４９と定着ベルト５０との間に長尺紙Ｐを挟み込み熱でトナーを溶融させると共に該トナーを加圧することにより、トナー像を長尺紙Ｐに定着させる。
【００１７】
排出ローラ３６、ピンチローラ３７、排出ローラ３８及びピンチローラ３９（図１）は、定着器３４に対する長尺紙Ｐの搬送方向の下流側に配され、トナー像が定着した長尺紙Ｐを挟持して搬送し画像形成装置１の外部へ排出する。排出センサ部４０は、定着器３４に対する搬送方向の下流側に配され、該定着器３４から排出された長尺紙Ｐが正常に搬送されているか否かを検出する。
【００１８】
［１−２．センサ部の構成］
図２及び図３に示すように、排出センサ部４０は、上流センサ部５１と下流センサ部５２とにより構成されている。この排出センサ部４０は、搬送位置基準である搬送路２６の右端近辺に配置されている。
【００１９】
［１−３．上流センサ部の構成］
上流センサ部５１は、定着器３４に対する搬送方向の下流側近傍に設けられており、排出センサレバー５４と第１センサ５６とにより構成されている。
【００２０】
排出センサレバー５４は、側面視略Ｗ字形状の棒状部材であり、搬送路２６の下側に設けられた回動支点５４Ａを軸として図２に実線で示す未通過状態ポジションと、図２に破線で示す通過状態ポジションとに回動可能に構成されている。排出センサレバー５４は、未通過状態ポジションにおいて搬送路２６の下側から上側へ突出する長尺紙当接部５４Ｂが上端部に形成されていると共に、通過状態ポジションにおいて第１センサ５６の光軸を遮るディテクタ部５４Ｃが下端部に形成されている。また排出センサレバー５４は、通過状態ポジションから未通過状態ポジションに向けて、図示しない付勢部材により付勢されている。
【００２１】
レバー検出センサとしての第１センサ５６は、排出センサレバー５４におけるディテクタ部５４Ｃの回動経路上に設けられており、該ディテクタ部５４Ｃを通過させる溝を挟んで発光部と受光部とを左右に配置したＵの字状の光学式のセンサである。第１センサ５６は、通過状態ポジションにおいてディテクタ部５４Ｃが光軸を遮っていないときは受光部が発光部からの光を受光している明状態を検出する一方、未通過状態ポジションにおいてディテクタ部５４Ｃが光軸を遮っているときは受光部が発光部からの光を受光していない暗状態を検出し、検出結果をレバー検出結果として制御部１６（図１）へ送出する。制御部１６は、取得したレバー検出結果に基づき、定着器３４から排出された長尺紙Ｐが、該定着器３４の搬送方向下流側を正常に搬送されているか否かを判定する。
【００２２】
この排出センサレバー５４は、長尺紙Ｐの先端部が到達していない状態においては未通過状態ポジションであり、長尺紙Ｐが搬送され先端部が当接すると未通過状態ポジションから通過状態ポジションへ回動し、その後長尺紙Ｐの先端部が排出センサレバー５４を通過し該長尺紙Ｐが連続的に搬送される搬送中状態となり、該長尺紙Ｐの下側面が長尺紙当接部５４Ｂに当接している限り、通過状態ポジションを保つ。
【００２３】
［１−４．下流センサ部の構成］
下流センサ部５２は、上流センサ部５１に対する搬送方向の下流側近傍に設けられており、駆動ローラ部５８と回転検出センサユニット６０とにより構成されている。駆動ローラ部５８は、排出ローラ３６とピンチローラ３７とを有している。
【００２４】
排出ローラ３６は、搬送路２６の下側において搬送幅方向に沿って延在する排出ローラシャフト３６Ｓを軸に、左右方向に所定の間隔を空けて回転可能に取り付けられている。排出ローラ３６は、図示しないアクチュエータから駆動力が伝達されることにより能動的に回転する。
【００２５】
ピンチローラ３７は、搬送路２６の上側において左右方向に沿って延在し上下方向に移動可能なピンチローラシャフト３７Ｓを軸に、搬送路２６を挟んでそれぞれの排出ローラ３６と対向する位置において回転可能に取り付けられている。ピンチローラ３７は、図示しない圧縮ばねである付勢部材により、それぞれが排出ローラ３６に押し付けられている。またピンチローラ３７は、回転する駆動力をアクチュエータから与えられておらず、排出ローラ３６に押し付けられることにより該排出ローラ３６の回転に従動して回転する。
【００２６】
これにより駆動ローラ部５８は、長尺紙Ｐを挟持しつつ排出ローラ３６及びピンチローラ３７が回転することにより、アイドルローラ６８及び検出ローラ６６との当接箇所である検出ローラ挟持箇所７０へ向けて搬送路２６に沿って長尺紙Ｐを搬送する。
【００２７】
回転検出センサユニット６０は、従動ローラ部６２と回転検出センサ部６４とにより構成されている。従動ローラ部６２は、検出ローラ６６とアイドルローラ６８とにより構成されている。
【００２８】
アイドルローラ６８は、搬送路２６の下側において左右方向に沿って延在するアイドルローラシャフト６８Ｓを軸に、左右方向に並ぶ排出ローラ３６の間の中央部分において、回転可能に取り付けられている。アイドルローラ６８は、能動的に回転する駆動力をアクチュエータから与えられておらず、外周面に長尺紙Ｐが接触した際に、該長尺紙Ｐに連れ回される。またアイドルローラ６８は、側面視において排出ローラ３６とオーバーラップする位置、すなわち、アイドルローラ６８の外周面における搬送方向の上流側端部が、排出ローラ３６の外周面における搬送方向の下流側端部よりも搬送方向上流側に位置する程度に、排出ローラ３６の近傍に配置されている。
【００２９】
検出ローラ６６は、搬送路２６の上側において左右方向に沿って延在し上下方向に移動可能な検出ローラシャフト６６Ｓを軸に、搬送路２６を挟んでアイドルローラ６８と対向し且つ左右方向に並ぶピンチローラ３７の間の中央部分において回転可能に取り付けられている。検出ローラ６６は、図示しない圧縮ばねである付勢部材により、アイドルローラ６８に押し付けられている。また検出ローラ６６は、能動的に回転する駆動力をアクチュエータから与えられておらず、アイドルローラ６８に押し付けられることにより、長尺紙Ｐを挟んで該アイドルローラ６８の回転に従動して回転する。また検出ローラ６６は、側面視においてピンチローラ３７とオーバーラップする位置、すなわち、検出ローラ６６の外周面における搬送方向の上流側端部が、ピンチローラ３７の外周面における搬送方向の下流側端部よりも搬送方向上流側に位置する程度に、ピンチローラ３７の近傍に配置されている。検出ローラ６６の左側面には、後述するスリットディスク７２と噛み合うギアが外周面に形成された検出ローラギア６６Ｇが設けられている。
【００３０】
このように検出ローラ６６とアイドルローラ６８とは、互いに自らは回転せず、長尺紙Ｐと当接した際にのみ該長尺紙Ｐに連れ回される。
【００３１】
また排出センサ部４０は、隣り合う排出ローラ３６の間の中央部分にアイドルローラ６８を、隣り合うピンチローラ３７の間の中央部分に検出ローラ６６を、それぞれ配置したため、例えば隣り合う排出ローラ３６及びピンチローラ３７の左右方向何れかの外側における搬送方向の下流側にアイドルローラ６８及び検出ローラ６６を配置した場合よりも、長尺紙Ｐが駆動ローラ部５８及び回転検出センサユニット６０を通過した際に斜行してしまうことを防止できる。
【００３２】
回転検出センサ部６４は、いわゆるロータリーエンコーダであり、スリットディスク７２と第２センサ７４とにより構成されている。
【００３３】
スリットディスク７２は、検出ローラ６６の搬送方向下流側の上側において、左右方向に沿う軸に対し回転可能に取り付けられている。またスリットディスク７２の外周面には、検出ローラギア６６Ｇと噛み合うギアが形成されている。これによりスリットディスク７２は、検出ローラ６６と同期して回転する。またスリットディスク７２の側面には、光を通過させるスリットが所定間隔で穿設されている。
【００３４】
第２センサ７４は、スリットディスク７２の回転経路上に設けられており、該スリットディスク７２を通過させる溝を挟んで発光部と受光部とを左右に配置したＵの字状の光学式のセンサである。第２センサ７４は、スリットディスク７２が光軸を遮っていないときは受光部が発光部からの光を受光している明状態を検出する一方、スリットディスク７２が光軸を遮っているときは受光部が発光部からの光を受光していない暗状態を検出し、検出結果をスリットディスク検出結果として制御部１６へ送出する。制御部１６は、取得したスリットディスク検出結果に基づき、スリットディスク７２の回転の変位、すなわち該スリットディスク７２と同期して回転する検出ローラ６６の回転の変位を検出する。これにより制御部１６は、上流センサ部５１を通過した長尺紙Ｐが、該上流センサ部５１の搬送方向下流側を正常に搬送されていることを検知する。
【００３５】
このように画像形成装置１は、下流センサ部５２により、長尺紙Ｐの先端部を検出できると共に、長尺紙搬送中の異常も検出できる。下流センサ部５２よりも搬送方向の下流側には、排出ローラ３６及びピンチローラ３７とほぼ同様に構成された排出ローラ３８及びピンチローラ３９が設けられている。
【００３６】
［１−５．紙詰まり検出制御］
かかる構成において、長尺紙Ｐの先端部が定着器３４を通過していない状態において、制御部１６は、レバー検出結果に基づき、排出センサレバー５４の未通過状態ポジションを検出すると共に、検出ローラ６６が回転していない未回転状態を検出する。
【００３７】
続いて制御部１６は、印刷動作を開始してから所定時間経過するまでの間に、レバー検出結果に基づき、排出センサレバー５４が通過状態ポジションとなるか否かを判定する。ここで、印刷動作を開始してから所定時間経過するまでの間に通過状態ポジションとならず、未通過状態ポジションのままであった場合、図４に示すような、定着器３４から排出された長尺紙Ｐの先端部が加熱ベルト４９又は定着ベルト５０に巻き付いてしまう先端巻付ジャムが発生している可能性がある。この場合制御部１６は、先端巻付ジャムが発生していると判定し、長尺紙Ｐの搬送を停止させる。
【００３８】
一方、印刷動作開始から所定時間経過するまでの間に通過状態ポジションとなった場合、制御部１６は、定着器３４から上流センサ部５１までの間を長尺紙Ｐが正常に搬送されたと判定する。続いて制御部１６は、スリットディスク検出結果に基づき、排出センサレバー５４が通過状態ポジションになってから所定時間経過するまでの間に、スリットディスク７２の回転を検出し、長尺紙Ｐの先端部が下流センサ部５２における検出ローラ挟持箇所７０に到達したか否かを判定する。ここで、排出センサレバー５４が通過状態ポジションになってから所定時間経過するまでの間に検出ローラ６６が回転しなかった場合、上流センサ部５１から検出ローラ挟持箇所７０までの間で、長尺紙Ｐが詰まってしまった可能性がある。この場合制御部１６は、ジャムが発生していると判定し、長尺紙Ｐの搬送を停止させる。
【００３９】
一方、排出センサレバー５４が通過状態ポジションになってから所定時間経過するまでの間に検出ローラ６６の回転を検出した場合、制御部１６は、上流センサ部５１から検出ローラ挟持箇所７０まで長尺紙Ｐの先端部が正常に搬送されたと判定する。続いて制御部１６は、レバー検出結果及びスリットディスク検出結果に基づき、排出センサレバー５４が通過状態ポジションを保ち続け、且つ検出ローラ６６の回転速度が所定値以上を保ち続けるか否かを判定する。
【００４０】
ここで、検出ローラ６６の回転速度が所定値未満となったり、該検出ローラ６６の回転が停止してしまったりした場合、図５に示すような、長尺紙Ｐにおける先端部よりも搬送方向上流側が加熱ベルト４９又は定着ベルト５０に巻き付いてしまう搬送中巻付ジャムや、図６に示すような、定着器３４と検出ローラ挟持箇所７０との間で、長尺紙Ｐにおける先端部よりも搬送方向上流側が蛇腹状に座屈してしまう搬送中蛇腹ジャム等が発生している可能性がある。この場合制御部１６は、搬送中巻付ジャムや搬送中蛇腹ジャムが発生していると判定し、長尺紙Ｐの搬送を停止させる。
【００４１】
［１−６．効果等］
従来の画像形成装置においては、駆動ローラと検出ローラとで長尺紙を挟持しているか否かに関係なく、自ら回転する駆動ローラに連れて常に検出ローラが従動回転していた。このため従来の画像形成装置は、駆動ローラと検出ローラとで長尺紙を挟持している状態においては、ジャムが発生すると該検出ローラの回転が停止するため、該ジャムの発生を検出できた。しかしながら従来の画像形成装置では、駆動ローラと検出ローラとで長尺紙を挟持していない状態においても該検出ローラが回転するため、定着器から排出された長尺紙の先端部が該定着器に巻き付いてしまい、駆動ローラ及び検出ローラに到達しなくても、該検出ローラは回転し続けることとなる。このため従来の画像形成装置は、長尺紙の先端部の巻き込みにより発生するジャムを検出できなかった。
【００４２】
これに対し画像形成装置１は、回転検出センサ部６４により回転が検出される従動ローラ部６２における、検出ローラ６６及びアイドルローラ６８に、能動的に回転する駆動力を与えないようにし、搬送される長尺紙Ｐが該検出ローラ６６及び該アイドルローラ６８に当接した場合にのみ、該検出ローラ６６及び該アイドルローラ６８が回転するようにした。このため画像形成装置１は、長尺紙Ｐが検出ローラ６６とアイドルローラ６８との間を搬送されていない時には検出ローラ６６が回転しないようにできる。これにより画像形成装置１は、印刷開始後所定時間が経過しても長尺紙Ｐの先端部が検出ローラ挟持箇所７０に到達しないことを検出した場合、長尺紙Ｐの先端部の巻き込みによるジャムが発生したと判定できる。
【００４３】
ここで、定着器３４によって加熱された長尺紙Ｐはコシがなくなり軽い負荷で撓みやすい傾向にあるため、能動的に回転する駆動力を持たないアイドルローラ６８及び検出ローラ６６で長尺紙Ｐを挟持する場合、該長尺紙Ｐの振動により、スリットディスク検出結果が不安定になる可能性がある。これに対し画像形成装置１は、アイドルローラ６８及び検出ローラ６６に対する搬送方向の上流側の近傍に、回転駆動力を持つ排出ローラ３６と、該排出ローラ３６に連れ回るピンチローラ３７とを配置するようにした。このため画像形成装置１は、排出ローラ３６とピンチローラ３７とで長尺紙Ｐを挟持し安定的に搬送させスリットディスク検出結果を安定化させることができる。また画像形成装置１は、排出ローラ３６とピンチローラ３７とで長尺紙Ｐを搬送方向に向かって送り出すことができるため、アイドルローラ６８及び検出ローラ６６の負荷で長尺紙Ｐが座屈して用紙送り不良が発生することを防止できる。
【００４４】
ここで、定着器３４によって加熱された長尺紙Ｐは、先端部が変形しやすいため、該先端部が加熱ベルト４９又は定着ベルト５０に巻き付いてしまいやすい傾向にある。これに対し画像形成装置１は、定着器３４と下流センサ部５２との間に上流センサ部５１を設けるようにした。これにより画像形成装置１は、先端巻付ジャムを早期に検出でき、加熱ベルト４９又は定着ベルト５０に対する長尺紙Ｐの先端部の巻き付きが軽微なうちに、作業者に該長尺紙Ｐを除去させることができるため、先端巻付ジャムにより加熱ベルト４９又は定着ベルト５０が損傷してしまうことを防止できる。
【００４５】
以上の構成において画像形成装置１は、長尺紙Ｐを長手方向に沿って搬送する搬送路２６と、長尺紙Ｐを加熱する定着器３４に対し長尺紙Ｐの搬送方向の下流側に配され、駆動力を有さず、搬送路２６を搬送される長尺紙Ｐに当接し従動して回転するアイドルローラ６８と、搬送路２６を挟んでアイドルローラ６８に対向して配され、駆動力を有さず、搬送路２６を搬送される長尺紙Ｐに当接し従動して回転する検出ローラ６６と、検出ローラ６６の回転を検出する第２センサ７４とを設けるようにした。これにより画像形成装置１は、搬送される長尺紙Ｐが検出ローラ６６及びアイドルローラ６８に当接した場合にのみ、該検出ローラ６６及び該アイドルローラ６８を回転させることができるため、定着器３４から排出された長尺紙Ｐの先端部が検出ローラ６６及びアイドルローラ６８に到達する前に該長尺紙Ｐにジャムが発生したことを検出できる。
【００４６】
［２．他の実施の形態］
なお上述した実施の形態においては、長尺紙当接部５４Ｂに長尺紙Ｐが当接することにより回動する排出センサレバー５４と、該排出センサレバー５４のディテクタ部５４Ｃを検出する第１センサ５６とからなる上流センサ部５１により、先端巻付ジャムを検出する場合について述べた。本発明はこれに限らず、定着器から排出された長尺紙を検出する種々のセンサにより、長尺紙における先端部の検出と、該長尺紙における先端部よりも搬送方向上流側の検出とを行っても良い。
【００４７】
また上述した実施の形態においては、搬送路２６内において搬送位置基準として設定された左端近辺に排出センサ部４０を配置する場合について述べた。本発明はこれに限らず、搬送路内における搬送幅方向の種々の位置に排出センサ部４０を配置しても良い。
【００４８】
さらに上述した実施の形態においては、検出ローラ６６に形成された検出ローラギア６６Ｇを介し該検出ローラ６６の回転力をスリットディスク７２に伝達させることにより、該スリットディスク７２を回転させる場合について述べた。本発明はこれに限らず、他の種々の動力伝達方法により、検出ローラ６６の回転力をスリットディスク７２に伝達させても良い。
【００４９】
さらに上述した実施の形態においては、スリットディスク７２及び第２センサ７４からなる回転検出センサ部６４により検出ローラ６６の回転を検出する場合について述べた。本発明はこれに限らず、他の種々のセンサにより検出ローラ６６の回転を検出しても良い。
【００５０】
さらに上述した実施の形態においては、画像形成部２８から中間転写ベルト４２に１次転写されたトナー像を長尺紙Ｐに２次転写する中間転写方式である画像形成装置１に本発明を適用する場合について述べた。本発明はこれに限らず、画像形成部から長尺紙にトナー像を直接転写する直接転写方式の画像形成装置に本発明を適用しても良い。
【００５１】
さらに上述した実施の形態においては、搬送路としての搬送路２６と、アイドルローラとしてのアイドルローラ６８と、検出ローラとしての検出ローラ６６と、回転検出センサとしての第２センサ７４とによって、画像形成装置としての画像形成装置１を構成する場合について述べた。しかしながら本発明はこれに限らず、その他種々の構成でなる搬送路と、アイドルローラと、検出ローラと、回転検出センサとによって、画像形成装置を構成しても良い。
【産業上の利用可能性】
【００５２】
本発明は、長尺の媒体を搬送する画像形成装置でも利用できる。
【符号の説明】
【００５３】
１……画像形成装置、１０……フィーダ、１２……カッタユニット、１４……画像形成ユニット、１６……制御部、２０……給紙ローラ、２２……搬送ローラ、２４……オートカッタ、２６……搬送路、２８……画像形成部、３０……中間転写部、３２……搬送ローラ、３４……定着器、３６……排出ローラ、３６Ｓ……排出ローラシャフト、３７……ピンチローラ、３７Ｓ……ピンチローラシャフト、３８……排出ローラ、３９……ピンチローラ、４０……排出センサ部、４２……中間転写ベルト、４４……２次転写対向ローラ、４６……２次転写ローラ、４８……ヒータ、４９……加熱ベルト、５０……定着ベルト、５１……上流センサ部、５２……下流センサ部、５４……排出センサレバー、５４Ａ……回動支点、５４Ｂ……長尺紙当接部、５４Ｃ……ディテクタ部、５６……第１センサ、５８……駆動ローラ部、６０……回転検出センサユニット、６２……従動ローラ部、６４……回転検出センサ部、６６……検出ローラ、６６Ｓ……検出ローラシャフト、６６Ｇ……検出ローラギア、６８……アイドルローラ、６８Ｓ……アイドルローラシャフト、７０……検出ローラ挟持箇所、７２……スリットディスク、７４……第２センサ、Ｐ……長尺紙。
【図１】
0006487296.tif 000002
【図２】
0006487296.tif 000003
【図３】
0006487296.tif 000004
【図４】
0006487296.tif 000005
【図５】
0006487296.tif 000006
【図６】
0006487296.tif 000007